(57)【要約】      （修正有）【課題】筐体前面に蓋体が設けられた操作装置であって、簡単な構造で、操作性を疎外することなく操作スイッチの操作に応じて当該操作スイッチの略全体を均等に明るくすることができる操作装置を提供する。【解決手段】筐体１１の前面に開閉自在に設けられた蓋体１３に、筐体１１内に設けられたスイッチ素子２５を押圧操作する第一操作部２３に対向して第２操作部２４を設け、該蓋体を閉じた状態で第２操作部を押圧してＯＮ，ＯＦＦ操作することにより、筐体内スイッチ素子２５をＯＮ,ＯＦＦ制御可能とし、第二操作子の中心に合わせて筐体１１内設置された発光ダイオードを点消灯可能としたもの。筐体内操作盤で発行ダイオード設置部に該当する部分は、光が透過可能な部材からなるものとする。【選択図】図４
2005049037.tif 000002
【特許請求の範囲】
【請求項１】
筐体の前面に開閉自在に設けられた蓋体と、前記筐体の前記蓋体で開閉される部分に少なくとも１または複数の操作スイッチとを備え、
前記操作スイッチは、
前記筐体内に設けられ、ユーザによる押圧操作を検出するスイッチ部と、
前記筐体内に前記スイッチ部と位置をずらせて設けられ、当該スイッチ部の検出内容を発光表示する発光部と、
前記筐体の前記スイッチ部に対向する位置に設けられ、当該スイッチ部を押圧操作するための第１操作部と、
前記蓋体に蓋体の表面に対して直交方向に進退自在に設けられ、当該蓋体が閉状態で前記第１操作部を介して前記スイッチ部を押圧操作するための第２操作部と、
を有する操作装置であって、
前記第２操作部は、前記蓋体の当該蓋体が閉状態で前記発光部が第２操作部の略中央部に対向する位置に設けられ、かつ前記発光部からの光が透過可能な部材からなる、ことを特徴とする操作装置。
【請求項２】
前記第２操作部には、前記第１操作部を操作可能な位置に、当該第２操作部の押圧操作を前記第１の操作部に伝達する延出部が突設されている、請求項１に記載の操作装置。
【請求項３】
前記第２操作部は、前面視で略円形状に形成されている、請求項１または２に記載の操作装置。
【請求項４】
前記第２操作部は、透光性樹脂で形成されているとともに、前記第２操作部の内部には、前記発光部からの光を拡散するための拡散部が設けられている、請求項１ないし３のいずれかに記載の操作装置。
【発明の詳細な説明】
【技術分野】
【０００１】
本発明は、操作スイッチを備え、たとえば給湯運転を行うための給湯装置などに設けられるリモコン装置としての操作装置に関するものである。
【背景技術】
【０００２】
従来、たとえば給湯装置のリモコン装置では、その筐体前面に開閉可能な蓋体が設けられ、筐体および蓋体にそれぞれ独立した形で設けられた操作スイッチを備えたものがある。
【０００３】
図７および図８は、上記リモコン装置の一例を示す斜視図であり、図７は蓋体が閉じられた状態を示し、図８は蓋体が開かれた状態を示している。このリモコン装置５０では、その筐体５１の前面下部に凹陥部５２が形成され、凹陥部５２には、それとほぼ同等の大きさを有する蓋体５３が開閉可能に支持されて設けられている。この凹陥部５２および蓋体５３には、複数の操作スイッチ５４が設けられており、これらの操作スイッチ５４は、操作部が二重構造となっている。すなわち、操作スイッチ５４の操作部は、凹陥部５２に配置された第１操作部５５と、蓋体５３に支持され、蓋体５３が閉じられた状態において第１操作部５５と対向する位置に配置された第２操作部５６とによって構成されている。なお、凹陥部５２の左上隅には、蓋体５３の開閉状態を検出する検知スイッチ６２が設けられている。検知スイッチ６２は、リードスイッチなどの非接触型のスイッチによって構成されていてもよい。
【０００４】
図９は、上記操作スイッチ５４の前面図であり、図１０は、図９におけるＢ−Ｂ断面図である。これらの図によると、操作スイッチ５４は、第１および第２操作部５５，５６と、基板５７上の第１および第２操作部５５，５６の中心に対向する位置に実装されたスイッチ素子５８と、スイッチ素子５８の上方位置に当該スイッチ素子５８のオン動作にともなって点消灯する発光ダイオード５９と、それらを覆う樹脂製の内面操作シート６０とによって構成されている。なお、発光ダイオード５９は、消灯状態においてスイッチ素子５８が押圧操作されると点灯し、その点灯状態からさらにスイッチ素子５８が押圧操作されると消灯状態となる。すなわち、操作スイッチ５４は、操作されるたびに、その操作に対応する機能のオン、オフが交互に切り替わり（たとえば運転状態のオン、オフが交互に切り替わり）、そのオン、オフにともなって発光ダイオード５９が点消灯する。
【０００５】
なお、内面操作シート６０の発光ダイオード５９に対向する位置には、当該発光ダイオード５９からの光を外部(蓋体５３側)に放射するための透過窓６０ａが形成されている。第２操作部５６は、蓋体５３に対して進退自在に支持された樹脂性部材からなり、前面視においてその中央部にスイッチ素子５８が位置するように配置されているとともに、発光ダイオード５９と対向する部分には、透光性の樹脂などによって形成された透過窓６１が設けられている。
【０００６】
この構成において、蓋体５３が閉じられた状態では、第２操作部５６が押圧可能な状態とされ、この第２操作部５６がユーザによって押圧されることにともなってスイッチ素子５８が内面操作シート６０を介して押圧されてオン動作し、発光ダイオード５９が点灯するようになっている。発光ダイオード５９からの光は、透過窓６０ａおよび透過窓６１を通して蓋体５３から外部に放射され、これにより、ユーザは第２操作部５６の操作によってスイッチ素子５８がオン状態にあることを視認することができる。
【０００７】
また、蓋体５３が開かれた状態では、第１操作部５５が外部に露出され、それが直接的に押圧可能な状態とされ、この第１操作部５５がユーザによって押圧されることにより、スイッチ素子５８がオン動作し、発光ダイオード５９が点灯するようになっている。発光ダイオード５９からの光は、透過窓６０ａを通して操作スイッチ５４から外部に放射され、これにより、ユーザは第１操作部５５の操作によってスイッチ素子５８がオン状態にあることを視認することができる。
【０００８】
なお、検知スイッチ６２により蓋体５３の開閉状態が検出されるので、給湯装置ではこの検出信号によりスイッチ素子５８からの操作信号が第２操作部５６の操作によるのか、または第１操作部５５の操作によるのかが判別され、その判別結果に応じたスイッチ操作の処理がなされる。
【０００９】
ここで、スイッチ素子５８は、図９に示すように、ユーザによる操作性を考慮して、前面視において第２操作部５６の略中央部に対向する位置に設けられている。そのため、発光ダイオード５９は、第２操作部５６の中央部からやや離間した端の位置に配置されている。また、第２操作部５６における発光ダイオード５９の発光位置が中心から偏差するため、発光ダイオード５９により第２操作部５６全体を発光させようとすると、輝度分布が均一にならないので、発光ダイオード５９の対向位置に透過窓６０ａ，６１を設け、第２操作部５６の一部から光を外部に放出するようにしている。
【発明の開示】
【発明が解決しようとする課題】
【００１０】
ところで、リモコン装置は、スイッチ操作のときだけ必要に応じて蓋体５３が開放され、通常、蓋体５３は閉じた状態にしているものであるから、スイッチ操作の発光ダイオード５９による発光表示は、視認のし易さや意匠的効果の点から第２操作部５６全体を均一に発光させて行うことが好ましい。しかし、従来の構成では、発光ダイオード５９は、スイッチ素子５８によってその配置位置が制約されて操作スイッチ５４の端の部分に位置しているため、発光ダイオード５９の発光が、第１操作部５５に設けられた透過窓６０ａにより比較的狭い領域で視認可能になされ、この構成に伴い第２操作部５６においても透過窓６１を設けて当該第２操作部５６の比較的狭い領域でしか視認できないようになっていた。
【００１１】
この問題に対しては、たとえば特許第２５４２３０３号公報に示されるように、発光ダイオードを備えたスイッチ素子を用いることにより発光位置を第１および第２操作部５５，５６の略中心に位置合わせをすることができるが、この方法では発光ダイオードを備えた特別のスイッチ素子を用いなければならず、使用できる部品が限られ、設計の自由度が低下するとともにコスト的に不利になる。
【特許文献１】特許第２５４２３０３号公報
【００１２】
本願発明は、上記した事情のもとで考え出されたものであって、筐体前面に蓋体が設けられた操作装置であって、簡単な構造で、操作性を疎外することなく操作スイッチの操作に応じて当該操作スイッチの略全体を均等に発光させることができる操作装置を提供することを、その課題とする。
【課題を解決するための手段】
【００１３】
上記の課題を解決するため、本願発明では、次の技術的手段を講じている。
【００１４】
本願発明によって提供される操作装置は、筐体の前面に開閉自在に設けられた蓋体と、前記筐体の前記蓋体で開閉される部分に少なくとも１または複数の操作スイッチとを備え、前記操作スイッチは、前記筐体内に設けられ、ユーザによる押圧操作を検出するスイッチ部と、前記筐体内に前記スイッチ部と位置をずらせて設けられ、当該スイッチ部の検出内容を発光表示する発光部と、前記筐体の前記スイッチ部に対向する位置に設けられ、当該スイッチ部を押圧操作するための第１操作部と、前記蓋体に蓋体の表面に対して直交方向に進退自在に設けられ、当該蓋体が閉状態で前記第１操作部を介して前記スイッチ部を押圧操作するための第２操作部と、を有する操作装置であって、前記第２操作部は、前記蓋体の当該蓋体が閉状態で前記発光部が第２操作部の略中央部に対向する位置に設けられ、かつ前記発光部からの光が透過可能な部材からなることを特徴としている。なお、前記第２操作部には、前記第１操作部を操作可能な位置に、当該第２操作部の押圧操作を前記第１の操作部に伝達する延出部が突設されていてもよい。
【００１５】
この構成によれば、ユーザが蓋体を開いた状態で第１操作部を押圧操作すると、その押圧操作がスイッチ部により検出され、その検出結果に応じて発光部が発光される。すなわち、第１操作部の押圧操作によりスイッチ部でオン動作が検出されると、発光部が点灯し、オフ動作が検出されると、発光部が消灯する。また、ユーザが蓋体を閉じた状態で第２操作部を押圧操作すると、その押圧操作が延出部により第１操作部に伝達され、当該第１操作部を介してスイッチ部により検出されるとともに、その検出結果に応じて発光部が発光される。すなわち、第２操作部の押圧操作によりスイッチ部でオン動作が検出されると、発光部が点灯し、オフ動作が検出されると、発光部が消灯する。
【００１６】
第２操作部と発光部の中心は略一致し、第２操作部全体は発光部からの光が透過可能になっているので、発光部が発光すると、第２操作部全体が発光する。これにより、スイッチ部と発光部とが位置ずれしていても、発光部の発光を蓋体に設けられた第２操作部全体で発光させることができ、簡単な構成で、操作性を疎外することなく操作装置の操作スイッチの操作に応じて当該操作スイッチ全体を発光させることができる。
【００１７】
本願発明の好ましい実施の形態によれば、前記第２操作部は、前面視で略円形状に形成されていてもよい。これにより、発光部が点灯した際、発光部から放射された光は略同一距離にある第２操作部の略円形状の窓から外部に透過されることになり、操作スイッチ上における明るさを均等にすることができる。たとえば操作スイッチを矩形状に形成した場合には、その角の部分が暗くなるといったことがあるが、本願ではそれを抑制することができる。
【００１８】
本願発明の他の好ましい実施の形態によれば、前記第２操作部は、透光性樹脂で形成されているとともに、前記第２操作部の内部には、前記発光部からの光を拡散するための拡散部が設けられていてもよい。これにより、発光部からの光は、拡散部によって拡散されて第２操作部の略円形状の窓から外部に透過されるので、より一層視認性の向上に寄与することができる。
【００１９】
本願発明のその他の特徴および利点は、添付図面を参照して以下に行う詳細な説明によって、より明らかとなろう。
【発明を実施するための最良の形態】
【００２０】
以下、本願発明の好ましい実施の形態を、添付図面を参照して具体的に説明する。
【実施例】
【００２１】
図１および図２は、本願発明にかかる操作装置としてのリモコン装置の斜視図であり、図１は、筐体前面に開閉可能に設けられた蓋体が閉じられた状態を示し、図２は、蓋体が開かれた状態を示している。
【００２２】
このリモコン装置１は、たとえば住宅内の浴室、台所および居間などに設けられ、給湯運転を行う給湯装置本体（図略）を遠隔操作するためのものである。このリモコン装置１は、その筐体１１の前面に表示部２を備えている。表示部２は、たとえば多数の蛍光体をドットマトリクス状に配置した蛍光管、液晶ディスプレイ装置、エレクトロ・ルミネッセンスディスプレイ装置、あるいはプラズマディスプレイ装置などからなる。表示部２は、リモコン装置１の筐体内部に備えられたマイクロコンピュータ４１（後述）からの指令により、一般給湯の設定温度や風呂湯温の設定温度やバーナ（図略）の点火状況などを表示するものである。
【００２３】
リモコン装置１は、筐体１１の前面の表示部２の下部に凹陥部１２が形成されており、この凹陥部１２を覆うように蓋体１３が設けられている。この蓋体１３は、筐体１１に対して開閉自在に支持されて設けられている。
【００２４】
リモコン装置１は、筐体１１の前面と凹陥部１２とに複数の操作スイッチ１４を備えている。これらの操作スイッチ１４は、ユーザによって一般給湯運転、風呂運転、および温水暖房運転などを行うために操作されるものである。具体的には、操作スイッチ１４は、運転の発停を行うための運転スイッチ１４ａ、ユーザの操作により自動で湯張りや保温などを行うためのふろ自動スイッチ１４ｂ、追い焚き運転を行うための追いだきスイッチ１４ｃ、他のリモコン装置の近傍にいる者と必要に応じて通話するための通話スイッチ１４ｄ、出湯温度を設定するためのアップ・ダウンスイッチ１４ｅ、湯張りレベルを設定するためのアップ・ダウンスイッチ１４ｆなどによって構成されている。
【００２５】
運転スイッチ１４ａは筐体１１の表示部２の右横に設けられ、ふろ自動スイッチ１４ｂおよび通話スイッチ１４ｄは筐体の蓋体１３に設けられ、追いだきスイッチ１４ｃ、湯温設定用のアップ・ダウンスイッチ１４ｅおよび湯量設定用のアップ・ダウンスイッチ１４ｆは、凹陥部１２に設けられている。したがって、運転スイッチ１４ａは蓋体１３の開閉に関係なく操作可能であるが、ふろ自動スイッチ１４ｂおよび通話スイッチ１４ｄは蓋体１３を閉じた状態で操作され、追いだきスイッチ１４ｃ、湯温設定用のアップ・ダウンスイッチ１４ｅおよび湯量設定用のアップ・ダウンスイッチ１４ｆは蓋体１３を開けた状態で操作される。
【００２６】
ユーザによって、これらの操作スイッチ１４が操作されると、その操作信号がマイクロコンピュータ４１（後述）に送られ、その操作信号に関するコマンド信号が必要に応じて給湯装置本体に送られ、給湯装置本体において所定の給湯動作が行われる。
【００２７】
なお、後述するように、ふろ自動スイッチ１４ｂと追いだきスイッチ１４ｃとは押圧操作を検出するスイッチとその検出内容を発光表示する発光素子とが共通化され、蓋体１３に設けられるふろ自動スイッチ１４ｂの操作部（第２操作部）と凹陥部１２に設けられる追いだきスイッチ１４ｃの操作部（第１操作部）とは、二重構造（互いに略重複する位置関係）となっている。
【００２８】
蓋体１３の開閉状態は凹陥部１２の左上隅に設けられた検知スイッチ１５により検知されるようになっており、検知スイッチ１５により蓋体１３の開状態でスイッチにより押圧操作が検出されると、その押圧操作は追いだきスイッチ１４ｃの操作として扱われ、検知スイッチ１５により蓋体１３の閉状態でスイッチにより押圧操作が検出されると、その押圧操作はふろ自動スイッチ１４ｂの操作として扱われる。したがって、蓋体１３が閉じられた状態においてユーザがふろ自動スイッチ１４ｂを押圧した場合には、ふろ自動給湯運転を行う給湯運転動作が行われ、蓋体１３が開かれた状態においてユーザが追いだきスイッチ１４ｂを押圧した場合には、追いだき運転動作が行われる。
【００２９】
一方、通話スイッチ１４ｄに対しては、ふろ自動スイッチ１４ｂおよび追いだきスイッチ１４ｃと同様の構造をしているが、凹陥部１２に設けられる操作部は別のスイッチの操作部ではなく、通話スイッチ１４ｄの押圧操作をスイッチに伝達する部材として機能するものとなっている。そのため、検知スイッチ１５により蓋体１３の開状態で通話スイッチ１４ｄに対応するスイッチにより押圧操作が検出されると、その押圧操作は通話スイッチ１４ｄの操作として扱われるが、検知スイッチ１５により蓋体１３の閉状態でそのスイッチにより押圧操作が検出された場合もその押圧操作は通話スイッチ１４ｄの操作として扱われる。したがって、蓋体１３が閉じられた状態においてユーザが通話スイッチ１４ｄを押圧した場合、他のリモコン装置との通話が可能になるが、蓋体１３を開けた状態でユーザが通話スイッチ１４ｄに対向する位置の操作部を押圧した場合も他のリモコン装置との通話が可能になる。
【００３０】
なお、検知スイッチ１５は、蓋体１３が閉じられたときに蓋体１３の表面が当接してオン動作する。この検知スイッチ１５におけるオン動作は、マイクロコンピュータ４１（後述）に送られ、これにより、マイクロコンピュータ４１は、蓋体１３の閉状態を認識する。また、検知スイッチ１５は、蓋体１３が開かれたときに開放されオフ動作する。この検知スイッチ１５におけるオフ動作も、マイクロコンピュータ４１（後述）に送られ、これにより、マイクロコンピュータ４１は、蓋体１３の開状態を認識する。なお、検知スイッチ１５は、リードスイッチなどの非接触型のスイッチによって構成されていてもよい。
【００３１】
次に、操作スイッチ１４の操作部が二重構造となっているふろ自動スイッチ１４ｂおよび追いだきスイッチ１４ｃ、通話スイッチ１４ｄの部分の構造について説明する。通話スイッチ１４ｄの部分の構造は、ふろ自動スイッチ１４ｂおよび追いだきスイッチ１４ｃの構造と同一であるので、以下では、ふろ自動スイッチ１４ｂおよび追いだきスイッチ１４ｃの構造について説明する。
【００３２】
図３は、操作スイッチの前面図であり、図４は、図３におけるＡ−Ａ断面図である。なお、以下では、図３において手前側を筐体１１の前面側とし、図４において右側を筐体１１の前面側として説明する。
【００３３】
操作スイッチ１４は、筐体１１内に設けられ、ユーザによる押圧操作を検出するスイッチ素子２１と、筐体１１内にスイッチ素子２１と位置をずらせて設けられ、スイッチ素子２１の検出内容を発光表示する発光ダイオード２２と、筐体１１のスイッチ素子２１に対向する位置に設けられ、スイッチ素子２１を押圧操作するための第１操作部２３と、蓋体１３にその表面に対して直交方向に進退自在に設けられ、蓋体１３が閉状態で第１操作部２３を介してスイッチ素子２１を押圧操作するための第２操作部２４とを有している。
【００３４】
スイッチ素子２１は、スイッチ本体２５と、これに対して進退自在に支持された没入部２６とによって構成されている。スイッチ本体２５は、電子部品（図略）が搭載された基板２８上に実装された発光ダイオード２２から所定距離を離れた、基板２８上の適所に配置されている。換言すれば、スイッチ素子２１は、後述する第２操作部２４の延出部３３の先端部によって押圧されることが可能な位置に配置されている。
【００３５】
発光ダイオード２２は、ユーザによって当該操作スイッチ１４が押圧されたことを外部に報知するためのものであり、前面視においてその中心が第２操作部２４の中心とほぼ一致する基板２８上の部位に配置されている。なお、発光ダイオード２２は、消灯状態においてスイッチ素子２１が押圧操作されると点灯し、その点灯状態からさらにスイッチ素子２１が押圧操作されると消灯状態となる。すなわち、操作スイッチ１４は、操作されるたびに、その操作に対応する機能のオン、オフが交互に切り替わり（たとえば運転状態のオン、オフが交互に切り替わり）、そのオン、オフにともなって発光ダイオード２２が点消灯する。
【００３６】
第１操作部２３は、基板２８上に実装された発光ダイオード２２およびスイッチ素子２１を覆うように配置された内面操作シート３０を備えている。内面操作シート３０は、たとえば樹脂シートによって形成されており、発光ダイオード２２およびスイッチ素子２１に略対向する部分が凸状に形成されている。また、内面操作シート３０の発光ダイオード２２に対向する部分には、透明または半透明の樹脂シートによって形成された透過窓３１が形成されている。
【００３７】
第２操作部２４は、中空構造とされ、その全体形状が略きのこ状に形成されており、蓋体１３の前面側において略ドーム状に形成された本体部３２と、本体部３２の後面から後方に延びた延出部３３とを有している。
【００３８】
本体部３２は、蓋体１３のそれが閉状態で発光ダイオード２２が第２操作部２４の略中央部に対向する位置に設けられた部材からなり、本体部３２全体が発光ダイオード２２からの光が透過可能とされている。すなわち、本体部３２は、透過性の樹脂などからなり、前面視で略円形状に形成されており、蓋体１３に形成された孔３４の内径よりやや小の外形を有している。
【００３９】
本体部３２は、弾性変形可能な３個のヒンジ３５によって蓋体１３と結合されている。蓋体１３、およびヒンジ３５は、たとえば樹脂からなり、好ましくは本体部３２と同じ材質の樹脂によって形成されている。この構成により、第２操作部２４がユーザの指などによって押圧されると、ヒンジ３５が弾性変形し、第２操作部２４が一旦後方に変位する。その後、ユーザの指などが第２操作部２４から離れると、押圧前の元の状態に戻るようになっている。
【００４０】
また、蓋体１３の孔３４の周囲には、第２操作部２４が押圧されたときに第２操作部２４の押圧方向の移動を規制するための規制部材１３ａが設けられている。
【００４１】
本体部３２の内部には、たとえば赤色に着色され、光を拡散するための拡散性シート３６が設けられている。拡散性シート３６は、光拡散用粒子が混在されたフィルムなどによって構成されており、発光ダイオード２２からの光が第２操作部２４の外部に進行する際に、光を拡散させるためのものである。
【００４２】
延出部３３は、略円筒形状に形成されており、第２操作部２４であって第１操作部２３を操作可能な位置に設けられ、第２操作部２４の押圧操作を第１の操作部２３に伝達するものである。すなわち、延出部３３は、蓋体１３が閉じられた状態でユーザによってこの第２操作部２４が押圧されたとき、その先端部が第１操作部２３に当接し、それを押圧するものである。また、延出部３３は、第１操作部２３を押圧する機能を有する他に、蓋体１３が閉じられた状態で、後述する発光ダイオード２２からの光が凹陥部１２の内部方向（図４の矢印Ｃ参照）に進行するのを防止するための遮蔽壁としての機能を有する。
【００４３】
図５は、上記操作スイッチ１４に関するリモコン装置１の電気的構成を示す図である。このリモコン装置１は、リモコン装置１の制御動作を司るマイクロコンピュータ４１を備え、マイクロコンピュータ４１の入力ポートには、一端がグランドに接続されたスイッチ素子２１の他端が接続されている。マイクロコンピュータ４１の入力ポートは、抵抗Ｒ２を介して電源Ｖｃｃ２に接続されている。また、マイクロコンピュータ４１の出力ポートには、オープンコレクタ型のトランジスタアレイ４２を介して発光ダイオード２２のカソード側が接続されている。発光ダイオード２２のアノード側には、抵抗Ｒ１を介して電源Ｖｃｃ１が接続されている。また、マイクロコンピュータ４１の他の入力ポートには、一端がグランドに接続され、蓋体１３の開閉を検知するための検知スイッチ１５の他端が接続されている。マイクロコンピュータ４１の他の入力ポートは、抵抗Ｒ３を介して電源Ｖｃｃ２に接続されている。
【００４４】
マイクロコンピュータ４１は、スイッチ素子２１からのオン信号が入力ポートから入力されると、出力ポートから発光ダイオード２２を点灯させる旨の信号を出力する。これにより、発光ダイオード２２は点灯される。
【００４５】
また、マイクロコンピュータ４１は、検知スイッチ１５からの検知信号を常時監視しており、検知スイッチ１５のオン、オフ動作に基づく検知信号の有無によって蓋体１３の開閉を認識する。そして、マイクロコンピュータ４１は、スイッチ素子２１からのオン信号を監視し、スイッチ素子からのオン信号が入力されると、蓋体１３の開閉状態に基づいて異なる制御を行う。
【００４６】
具体的には、マイクロコンピュータ４１は、蓋体１３が閉じられた状態において、たとえばふろ自動スイッチ１４ｂ（第２操作部２４）が操作されて、これに対するスイッチ素子２１がオンされると、ふろ自動給湯運転動作を行う旨のコマンド信号を給湯装置本体に送る。一方、蓋体１３が開かれた状態において、たとえば追い焚きスイッチ１４ｃ（第１操作部２３）が操作されて、これに対するスイッチ素子２１がオンされると、追い焚き運転動作を行う旨のコマンド信号を給湯装置本体に送る。
【００４７】
次に、上記の構成における作用について説明する。まず、蓋体１３が閉じられた状態においては、検知スイッチ１５は、蓋体１３の裏面によって押圧されることになり、これにより、検知スイッチ１５はオンしそのオン信号がマイクロコンピュータ４１の入力ポートに入力される。その結果、マイクロコンピュータ４１は、蓋体１３が閉じられた状態を認識する。
【００４８】
この状態で、ユーザによって操作スイッチ１４（たとえばふろ自動スイッチ１４ｂ）が押圧されると、図６に示すように、第２操作部２４は、ユーザの押圧力によってそのヒンジ３５が変形されて後方に向けて移動し、これにより、第２操作部２４の延出部３３の先端部が内面操作シート３０に当接しつつそれを押圧する。その結果、内面操作シート３０が撓み、その後面がスイッチ素子２１の没入部２６を押圧する。その結果、スイッチ素子２１がオン動作する。
【００４９】
スイッチ素子２１におけるオン信号は、マイクロコンピュータ４１の入力ポートに与えられる。マイクロコンピュータ４１は、検知スイッチ１５による蓋体１３の開閉状態と、スイッチ素子２１のオン信号の入力とに基づく所定の動作（たとえばふろ自動運転動作）を開始するべきコマンド信号を給湯装置本体（図略）に送る。また、マイクロコンピュータ４１は、スイッチ素子２１のオン信号が入力されると、出力ポートからスイッチ素子２１がオン動作した旨の信号を出力し、当該操作スイッチ１４における発光ダイオード２２を点灯させる。
【００５０】
発光ダイオード２２が点灯すると、発光ダイオード２２からの光は、内面操作シート３０、拡散性シート３６および第２操作部２４の本体部３２を透過して外部に進行する。これにより、ユーザは、ふろ自動スイッチ１４ｂにおける押圧操作が認識されたことを発光ダイオード２２の点灯によって確認することができる。
【００５１】
このように、第２操作部２４は、前面視においてその略中央部に発光ダイオード２２が位置するように、蓋体１３に配置されているので、結果的に発光ダイオード２２を第２操作部２４の前面視における略中央部に配置させることができる。そのため、発光ダイオード２２から放出される光は、操作スイッチ１４の全体において均等に広がるようになり、操作スイッチ１４の視認性を向上させることができる。また、第２操作部２４が押圧されると、延出部３３が内面操作シート３０を介してスイッチ素子２１を押圧するので、発光ダイオード２２を操作スイッチ１３の中央部に配置させたにもかかわらず、この操作スイッチ１４における第２操作部２４の操作性を疎外することがなく、確実にスイッチ素子２１を押圧することができる。
【００５２】
また、第２操作部２４には、拡散性シート３６が内装されているので、発光ダイオード２２からの光は、拡散性シート３６によって拡散されて第２操作部２４から外部に放出されるので、操作スイッチ１４の視認性の向上に寄与することができる。
【００５３】
また、延出部３３が発光ダイオード２２からの光を遮蔽し、凹陥部１２の内部方向（図４の矢印Ｃ参照）に進行させるのを防止する。したがって、発光ダイオード２２からの光が第２操作部２４からより外部に進行するようになり、視認性の向上に寄与することができる。なお、延出部３３の内面には、光を反射させるための反射層が形成されていてもよく、このようにすれば、より一層効果的に発光ダイオード２２からの光をより外部に進行させることができる。
【００５４】
一方、蓋体１３が開かれた状態においては、検知スイッチ１５はオフ動作し、その旨の信号がマイクロコンピュータ４１に入力されると、マイクロコンピュータ４１は、蓋体１３が開かれた状態を認識する。この状態で、ユーザが第１操作部２３（たとえば追い焚きスイッチ１４ｃ）を直接的に押圧すると、内面操作シート３０の後面がスイッチ素子２１の没入部２６を押圧するので、スイッチ素子２１がオン動作する。
【００５５】
スイッチ素子２１におけるオン信号は、マイクロコンピュータ４１の入力ポートに与えられ、マイクロコンピュータ４１は、検知スイッチ１５による蓋体１３の開閉状態と、スイッチ素子２１のオン信号の入力とに基づく所定の動作（たとえば追い焚き運転動作）を開始するべきコマンド信号を給湯装置本体（図略）に送る。また、マイクロコンピュータ４１は、出力ポートからスイッチ素子２１がオン動作した旨の信号を出力し、当該第１操作部２３における発光ダイオード２２を点灯させる。発光ダイオード２２からの光は、内面操作シート３０の透過窓３１を透過して外部に進行する。したがって、蓋体１３が開かれた状態において、第１操作部２３が押圧されることにより発光ダイオード２２が点灯するといった機能を良好に確保することができる。
【００５６】
もちろん、この発明の範囲は上述した実施の形態に限定されるものではない。たとえば、発光ダイオード２２は、これに限らず、照光ランプなどが用いられてもよい。また、発光ダイオード２２は、第１操作部２３が操作されたとき、および第２操作部２４が操作されたときによって発光色をそれぞれ異ならせるように、構成されていてもよい。
【産業上の利用可能性】
【００５７】
上記実施例における操作スイッチの構造は、給湯装置のリモコン装置に適用するだけでなく、上記に示した同様の操作スイッチが設けられる各種の操作装置に適用可能である。
【図面の簡単な説明】
【００５８】
【図１】本願発明にかかる操作装置の斜視図であり、蓋体が閉じられた状態を示す。
【図２】本願発明にかかる操作装置の斜視図であり、蓋体が開かれた状態を示す。
【図３】操作スイッチの前面図である。
【図４】図３のＡ−Ａ断面図である。
【図５】操作スイッチに関するリモコン装置の電気的構成を示す図である。
【図６】操作スイッチが押圧されたときの状態を説明するための図である。
【図７】従来の操作装置の斜視図であり、蓋体が閉じられた状態を示す。
【図８】従来の操作装置の斜視図であり、蓋体が開かれた状態を示す。
【図９】従来の操作スイッチの前面図である。
【図１０】図９のＢ−Ｂ断面図である。
【符号の説明】
【００５９】
１  リモコン装置
１１  筐体
１２  凹陥部
１３  蓋体
１４  操作スイッチ
２１  スイッチ素子
２２  発光ダイオード
２３  第１操作部
２４  第２操作部
３３  延出部
３０  内面操作シート
３２  本体部
【図１】
2005049037.tif 000003
【図２】
2005049037.tif 000004
【図３】
2005049037.tif 000005
【図４】
2005049037.tif 000006
【図５】
2005049037.tif 000007
【図６】
2005049037.tif 000008
【図７】
2005049037.tif 000009
【図８】
2005049037.tif 000010
【図９】
2005049037.tif 000011
【図１０】
2005049037.tif 000012